(57)【特許請求の範囲】
【請求項１】
各音域用の複数のスピーカを当該スピーカの音域に応じて顕わに或いは隠蔽してテーブルに配置し、
該複数のスピーカ近傍への人の着席の有無を検出し、
前記人の着席が検出されている間のみ、前記複数のスピーカへの音声信号を供給し、
前記着席した人が選択したときは、その人が着席している間、前記複数のスピーカへの音声信号の供給を停止し、
前記選択をした人がその席を離れたときは、次の人の着席の有無を検出すべく当初の処理に戻る
ことを特徴とするスピーカ駆動方法。
【請求項２】
当該スピーカの音域に応じて顕わに或いは隠蔽してテーブルに配置された各音域用の複数のスピーカと、
該複数のスピーカ近傍への人の着席の有無を検出する検出手段と、
前記人の着席が検出されている間のみ、前記複数のスピーカへの音声信号を供給する供給手段と、
前記着席した人が選択したときは、その人が着席している間、前記供給手段の作動を停止させ前記複数のスピーカへの音声信号の供給を停止させる停止手段と、
前記選択をした人がその席を離れたときは、次の人の着席を検出すべく当初の処理に戻す戻し手段
とを備えたことを特徴とするスピーカ駆動装置。
【請求項３】
前記スピーカのうち中高音域用のスピーカが、着席した人の方へ指向するようにテーブル端面に配置されていることを特徴とする請求項２に記載のスピーカ駆動装置。
【発明の詳細な説明】
【０００１】
【発明の属する技術分野】
本発明はスピーカ駆動方法及びスピーカ駆動装置に関し、特に、飲食店舗や列車内など、人が多数集合する場所に適用して好適なスピーカ駆動方法及びスピーカ駆動装置に関する。
【０００２】
【従来の技術】
従来、飲食店舗や列車内など、人が多数集合する場所に於て、案内や音楽を流す手段としては、図５に示すように、壁面に取付けたスピーカａや天井に埋め込んだスピーカｂを使用するようにしていた。
【０００３】
【発明が解決しようとする課題】
しかし、このような従来の方法では、案内や音楽が店内や車内のすべてに広がって聞こえてしまう。このため、
▲１▼特定の場所に特定の情報を出すことが出来ない。
▲２▼人のいない、すなわち情報を出す必要の無い席にも、案内や音楽を流してしまう。
▲３▼店内や車内が常に騒々しい。
といった問題があった。
【０００４】
本発明の目的は、上記従来技術の欠点を解消し、特定の場所に特定の情報を出すことができ、不要な場所には案内や音楽を流さず、店内や車内を静粛に維持することを可能とするスピーカ駆動方法及びスピーカ駆動装置を実現することにある。
【０００５】
【課題を解決するための手段】
上記目的達成のため請求項１のスピーカ駆動方法では、各音域用の複数のスピーカを当該スピーカの音域に応じて顕わに或いは隠蔽してテーブルに配置し、該複数のスピーカ近傍への人の着席の有無を検出し、前記人の着席が検出されている間のみ、前記複数のスピーカへの音声信号を供給し、前記着席した人が選択したときは、その人が着席している間、前記複数のスピーカへの音声信号の供給を停止し、前記選択をした人がその席を離れたときは、次の人の着席の有無を検出すべく当初の処理に戻る。
【０００６】
また、請求項２のスピーカ駆動装置では、当該スピーカの音域に応じて顕わに或いは隠蔽してテーブルに配置された各音域用の複数のスピーカと、該複数のスピーカ近傍への人の着席の有無を検出する検出手段と、前記人の着席が検出されている間のみ、前記複数のスピーカへの音声信号を供給する供給手段と、前記着席した人が選択したときは、その人が着席している間、前記供給手段の作動を停止させ前記複数のスピーカへの音声信号の供給を停止させる停止手段と、前記選択をした人がその席を離れたときは、次の人の着席を検出すべく当初の処理に戻す戻し手段とを備える。
また、請求項３のスピーカ駆動装置では、請求項２にいうスピーカのうち中高音域用のスピーカが、着席した人の方へ指向するようにテーブル端面に配置されている。
【０００７】
【発明の実施の形態】
以下、本発明の詳細を図示実施の形態例に基いて説明する。図１に実施の形態例の斜視図を示す。図に於て、１はテーブルで、その端面（前面）には、そこに着席する人に対向するように、スピーカ２Ｌ，２Ｒが配置されている。ここでは、ステレオで音声が送出されることを想定し、左チャンネル用２Ｌ、右チャンネル用２Ｒの二つのスピーカが配置されている。
【０００８】
４はセンサーで、例えば人の身体から発せられる赤外線を感知し、人がこのテーブル１に向って座るとそれを検出する。６はＯＦＦ（切）スイッチで、テーブル１に向って着席した人が音楽や案内を聞きたくないときこれを押す。これによりスピーカ２Ｌ，２Ｒへの音声信号供給は遮断される。
【０００９】
図２に、実施の形態例の回路構成を示す。図において、４は前述のセンサー、６はＯＦＦスイッチである。７はスピーカスイッチで、各スピーカ２Ｌ，２Ｒへ供給される音声信号（増幅器出力）を断続する。８はマイクロコンピュータで、センサー４の出力及びＯＦＦスイッチ６の出力に基いて、スピーカスイッチ７を断続する。
【００１０】
図３にこのマイクロコンピュータ８による処理の内容を示す。即ち、先ず、センサー４の出力が無い間、即ち、人が着席していないときは、スピーカスイッチ７はオフ（切）の侭である（ステップＳ１「Ｎ（いいえ）」→ステップＳ２。）（以下、「ステップ」の語は省略する。）。従って、各スピーカ２Ｌ，２Ｒからは、何の音も出ない。
【００１１】
人がテーブル１に向って着席すると、センサー４がオン（入）になる。これに応動して、マイクロコンピュータ８はスピーカスイッチ７をオンにする（Ｓ１「Ｙ（はい）」→Ｓ３）。これにより、各スピーカ２Ｌ，２Ｒからは案内や音楽が出力されるようになる。この状態は、その人が着席している間のみ継続する（Ｓ４「Ｙ」→Ｓ５「Ｎ」）。即ち、その人が席を立つと、センサー４出力はオフになり（Ｓ４「Ｎ」）、マイクロコンピュータ８はこれに応動してスピーカスイッチ７をオフにし（Ｓ２）、各スピーカ２Ｌ，２Ｒからは音が出なくなる。。
【００１２】
また、若し、そこに着席した人が、これら案内や音楽を聞きたくないときは、ＯＦＦスイッチ６を押す（Ｓ５「Ｙ」）。これに応動して、マイクロコンピュータ８は、スピーカスイッチ７をオフにする（Ｓ６）。これで、人が着席していても、そこの各スピーカ２Ｌ，２Ｒからは音が出なくなる。この音が出ない状態は、ＯＦＦスイッチ６を押した人がその席を離れるまで続く（Ｓ７「Ｙ」→Ｓ７でループ。）。
その人が席を離れると、センサー４出力はオフになるので（Ｓ７「Ｎ」）再び当初の状態（Ｓ１）に戻り、次の人が座れば、Ｓ１の答えが「Ｙ」となり、また、各スピーカ２Ｌ，２Ｒから案内や音楽が流れる（Ｓ１「Ｙ」→Ｓ３）。
【００１３】
以下、変形例について説明する。図１に示すように、低域専用のスピーカ３をテーブル１中央に埋め込んだり、別置きにしたりしても良い。こうすると、着席した人の方に向くようにテーブル１の端面（前面）に配置されるスピーカ２Ｌ，２Ｒは、中高音域専用として小さい径のものが使用でき、テーブル１の薄型化軽量化が実現できる。
また、中高音域は直進性が強く、物体に当たった場合の吸収率は低音域よりも高いから、テーブル１の端面（前面）に設置するスピーカ２Ｌ，２Ｒが、このように中高音域専用となれば、人体による吸収率が高くなり、周囲への音の拡散がさらに押さえられる。
【００１４】
また、実施の形態例では、スピーカ２Ｌ，２Ｒをテーブル１の端面（前面）に設置した。音響特性に多少の変化はあるものの、図４に示すように、テーブル１の上面または下面に取付けることにしても良い。これでも同様の作用が期待出来る。なお、この場合も低域専用のスピーカ３をテーブル１の中央に埋め込んだり、別置きにしたりしても良い。
【００１５】
最後に、実施の形態例の構成と請求項にいう構成の対応関係について説明する。実施の形態例のセンサー４が請求項にいう検出手段に当たる。以下同様に、スピーカスイッチ７が供給手段に当たる。ＯＦＦスイッチ６及びマイクロコンピュータ８が停止手段に当たる。
【００１６】
【発明の効果】
以上説明したように、請求項１又は請求項２の発明では、先ず、テーブルにスピーカを配置し、該スピーカ近傍への人の着席の有無を検出し、前記人の着席が検出されている間のみ、前記スピーカへの音声信号を供給するようにした。従って、
(1)案内や音楽を特定の場所だけに流すことが出来る。
(2)人がいる場所にのみ案内や音楽が流れるので、店内や車内の静粛性が維持される。
(3)人が座っていない場所には案内や音楽が流れないため、省エネルギーとなる。
【００１７】
更に、これら構成に加え、着席した人が選択したときは、スピーカへの音声信号の供給を停止し、前記選択をした人がその席を離れたときは、次の人の着席の有無を検出すべく当初の処理に戻るようにした。従って、
(4)静かさを好む、というような人にも対応できる。
【００１８】
また、請求項２を引用する請求項３の発明では、着席した人の方へ指向するように、テーブル端面にスピーカを配置するようにした。従って、
(5)スピーカから出た音が人に吸収され易くなり、周りへの拡散が防止されて、より一層店内や車内の静粛性が維持される。
【図面の簡単な説明】
【図１】本発明の一実施の形態例を示す斜視図。
【図２】本発明の一実施の形態例の回路構成を示すブロック図。
【図３】本発明の一実施の形態例に於ける処理手順を示すフローチャート。
【図４】本発明の一実施の形態例の変形例を示す斜視図。
【図５】従来のスピーカ配置例を示す斜視図。
【符号の説明】
１…テーブル                      ２Ｌ，２Ｒ…スピーカ
３…低域専用スピーカ              ４…センサー
６…ＯＦＦスイッチ                ７…スピーカスイッチ
８…マイクロコンピュータ
【図１】
0003948699.tif 000002
【図２】
0003948699.tif 000003
【図３】
0003948699.tif 000004
【図４】
0003948699.tif 000005
【図５】
0003948699.tif 000006